(57)【特許請求の範囲】
【請求項１】
土木建築工事又は鉱業活動により発生する、寸法が区々の複数の鉱物性塊粒と該鉱物性塊粒の表面又は表面近傍に付着又は結合している重金属又は重金属化合物とを含んでいる鉱物性混合物から、上記重金属又は重金属化合物が除去された砂製品を生成する材料再生システム（ＲＳ）であって、
鉱物性混合物に破砕処理を施し、予め設定された寸法より大きい寸法を有する鉱物性塊粒を破砕する湿式のロッドミルブレーカ（４）を有する破砕設備（Ａ）と、
破砕処理が施された鉱物性混合物から、水を用いて再生砂を分離する一方、上記重金属又は重金属化合物を鉱物性混合物から水中へ離脱させる湿式サイクロン（６、７）を有する湿式分級設備（Ｂ）と、
上記湿式分級設備（Ｂ）から排出された排水から上記重金属又は重金属化合物を除去する重金属除去設備（Ｃ）と、
上記重金属除去設備（Ｃ）から排出された上記重金属又は重金属化合物が除去された排水に凝集剤を添加して凝集処理を施す反応槽（１７）と、凝集処理が施された排水を該排水中の非水溶性物を沈殿させて汚泥と処理水とに分離するシックナ（１９）とを有する排水処理設備（Ｄ）と、
上記処理水を破砕設備（Ａ）及び上記湿式分級設備（Ｂ）へ供給して循環使用する処理水供給設備（Ｅ）と、
上記湿式分級設備（Ｂ）で分離された上記再生砂に対して、洗浄処理を含む後処理を施して砂製品に仕上げる後処理設備（Ｇ）とを備えていることを特徴とする材料再生システム。
【請求項２】
上記処理水供給設備（Ｅ）から上記後処理設備（Ｇ）に処理水が供給される一方、上記後処理装置（Ｇ）の排水が上記重金属除去設備（Ｃ）に移送されることを特徴とする、請求項１に記載の材料再生システム。
【請求項３】
上記排水処理設備（Ｄ）から排出された汚泥に脱水処理を施す汚泥脱水設備（Ｆ）を備えていることを特徴とする、請求項１又は２に記載の材料再生システム。
【請求項４】
上記汚泥脱水設備（Ｆ）が、上記排水処理設備（Ｄ）から排出された汚泥に圧力濾過を施して脱水するフィルタプレス（２０）を備えていることを特徴とする、請求項３に記載の材料再生システム。
【請求項５】
上記汚泥脱水設備（Ｆ）が、上記フィルタプレス（２０）により脱水された汚泥を乾燥させて乾燥汚泥を生成する汚泥乾燥機（２２）を備えていることを特徴とする、請求項４に記載の材料再生システム。
【請求項６】
上記湿式分級設備（Ｂ）が、ジェットトロンメル（５）を備えていることを特徴とする、請求項１〜５のいずれか１つに記載の材料再生システム。
【請求項７】
鉱物性混合物が、鉱物性塊粒として、土、砂、石、岩、コンクリート片のうちの少なくとも１つを含んでいることを特徴とする、請求項１〜６のいずれか１つに記載の材料再生システム。
【発明の詳細な説明】
【技術分野】
【０００１】
本発明は、土木建築工事又は鉱業活動により発生する、寸法が区々の複数の鉱物性塊粒と、該鉱物性塊粒の表面又は表面近傍に付着又は結合している重金属及び／又は重金属化合物とを含んでいる鉱物性混合物から、上記重金属及び／又は重金属化合物が除去された砂製品を生成する材料再生システムに関するものである。
【背景技術】
【０００２】
一般に、コンクリート構築物の修理又は解体、地盤の掘削、土壌の改変、土地の造成、道路の建設又は補修などといった土木建築工事を行ったとき、あるいは鉱物の採掘などといった鉱業活動を行ったときには、土、砂、石、岩、コンクリート片、金属鉱石等の種々の鉱物性塊粒を含む大量の鉱物性混合物が発生する。このような鉱物性混合物は、これに適切に破砕処理を施した上で分級すれば、土木建築材料、例えば再生砂、再生砂利等、あるいは鉱業材料として再利用することができる。そこで、本願出願人は、すでに、岩石、コンクリートガラ、砂、土等を含む残土を受け入れ、該残土中の粗大物を破砕した上で分級し、所望の粒度の砂ないしは粒状物を含む混合物を製品砂として再生するようにした製品砂の製造装置ないしは製造方法を提案している（特許文献１参照）。
【先行技術文献】
【特許文献】
【０００３】
【特許文献１】特開２００５−３４２６５５号公報
【発明の概要】
【発明が解決しようとする課題】
【０００４】
ところで、このような鉱物性混合物の表面又は表面近傍には有害な重金属及び／又は重金属化合物あるいはそのイオンが付着又は結合していることがある（以下、これらを「重金属等」と総称する。）。例えば、重金属等で汚染された土壌又は地盤の掘削又は造成等により発生した鉱物性混合物には、必然的に重金属等が付着又は結合していることになる。しかしながら、従来のこの種の土木建築用材料の再生システムでは、このような重金属等を十分に除去することができないといった問題がある。また、土木建築用材料を再生又は回収する際に水を使用する場合、重金属等を含む排水が周囲に排出され、重金属等が周囲に拡散するといった問題もある。
【０００５】
本発明は、上記従来の問題を解決するためになされたものであって、土木建築工事あるいは鉱業活動により発生した鉱物性混合物の表面又は表面近傍に重金属等が付着又は結合している場合でも、該鉱物性混合物から重金属等が除去された砂製品を生成又は回収することができ、かつ重金属等が外部に拡散するのを防止することができる材料再生システムを提供することを解決すべき課題とする。
【課題を解決するための手段】
【０００６】
上記課題を解決するためになされた本発明に係る材料再生システムは、土木建築工事又は鉱業活動（例えば、金属鉱石の掘削、採取等）により発生する、寸法が区々の複数の鉱物性塊粒と該鉱物性塊粒の表面又は表面近傍（表面下の非常に浅い部分）に付着又は結合している重金属等（重金属及び／又は重金属化合物あるいはそのイオン）とを含んでいる鉱物性混合物から、上記重金属等が除去された砂製品を生成又は回収する。この材料再生システムは、基本的態様においては、破砕設備と、湿式分級設備と、重金属除去設備と、排水処理設備と、処理水供給設備と、後処理設備とを備えている。
【０００７】
ここで、破砕設備は、鉱物性混合物に破砕処理を施し、予め設定された寸法より大きい寸法を有する鉱物性塊粒を破砕する湿式のロッドミルブレーカを有する。湿式分級設備は、破砕処理が施された鉱物性混合物から、水を用いて再生砂を分離する一方、上記重金属等を鉱物性混合物から水中へ離脱させる湿式サイクロンを有する。重金属除去設備は、湿式分級設備から排出された排水から上記重金属等を除去する。排水処理設備は、重金属除去設備から排出された上記重金属等が除去された排水に凝集剤を添加して凝集処理を施す反応槽と、凝集処理が施された排水を該排水中の非水溶性物を沈殿させて汚泥と処理水とに分離するシックナとを有する。処理水供給設備は、処理水を破砕設備及び湿式分級設備へ供給して循環使用する。後処理設備は、湿式分級設備で分離された再生砂に対して、洗浄処理を含む後処理を施して砂製品に仕上げる。
【０００８】
本発明に係る材料再生システムにおいては、処理水供給設備から後処理設備に処理水を供給する一方、後処理装置の排水を重金属除去設備に移送するのが好ましい。
【０００９】
本発明に係る材料再生システムは、排水処理設備から排出された汚泥に脱水処理を施す汚泥脱水設備を備えているのが好ましい。この場合、汚泥脱水設備は、排水処理設備から排出された汚泥に圧力濾過を施して脱水するフィルタプレスを備えているのが好ましく、フィルタプレスにより脱水された汚泥を乾燥させて乾燥汚泥を生成する汚泥乾燥機を備えているのがとくに好ましい。
【００１０】
本発明に係る材料再生システムにおいては、湿式分級設備は、ジェットトロンメルを備えているのが好ましい。  
【００１１】
本発明に係る材料再生システムにおいて、土木建築工事又は鉱業活動により発生する鉱物性混合物ないしは鉱物性塊粒は、土、砂、石、岩、コンクリート片のうちの少なくとも１つを含んでいる。また、上記重金属等に含まれる重金属としては、例えばクロム、マンガン、水銀、銅、鉛、カドミウム、亜鉛、ニッケル等が挙げられる。
【発明の効果】
【００１２】
本発明に係る材料再生システムによれば、土木建築工事又は鉱業活動により発生した鉱物性混合物の表面又は表面近傍に重金属等が付着又は結合している場合でも、該鉱物性混合物から実質的に上記重金属等が除去された砂製品を生成又は回収することができ、かつ上記重金属等が外部に拡散するのを確実に防止することができる。
【図面の簡単な説明】
【００１３】
【図１】本発明に係る、表面又は表面近傍に重金属等が付着又は結合している鉱物性混合物から上記重金属等が除去された材料を再生又は回収する材料再生システムの基本構成を示すブロック図である。
【図２】図１に示す材料再生システムの具体的な構成の一部分を示すブロック図である。
【図３】図１に示す材料再生システムの具体的な構成の残りの部分を示すブロック図である。
【図４】鉱物性混合物が鉱物性塊粒として金属鉱石を含む場合における後処理装置の一部分の構成を示すブロック図である。
【発明を実施するための形態】
【００１４】
以下、添付の図面を参照しつつ、本発明の実施形態を具体的に説明する。まず、図１を参照しつつ、土木建築工事又は鉱業活動により発生する、寸法が区々の複数種の鉱物性塊粒と該鉱物性塊粒に付着又は結合している、毒性をもつ有害な重金属等（すなわち、重金属及び／又は重金属化合物あるいはそのイオン）とを含む鉱物性混合物から、実質的に上記重金属等が除去された材料を再生又は回収する、本発明に係る材料再生システムの基本構成を説明する。
【００１５】
なお、本明細書において、「鉱物性塊粒」は、コンクリート構築物の修理又は解体、地盤の掘削、土壌の改変、土地の造成、道路の建設又は補修などといった土木建築工事により発生し、あるいは、金属鉱石の採取又は掘削などといった鉱業活動により発生する種々の鉱物、無機物等を主成分とする物質で形成された粉状、粒状又は塊状の物体、例えば土、砂、石、岩、コンクリート片、アスファルト片、ガラス片、レンガ片、瓦片、陶器片、金属鉱石片などを意味する。また、「鉱物性混合物」は、複数ないしは複数種の鉱物性塊粒を含む混合物を意味する。
【００１６】
図１に示すように、本発明に係る材料再生システムＲＳは、破砕設備Ａと、湿式分級設備Ｂと、重金属除去設備Ｃと、排水処理設備Ｄと、処理水供給設備Ｅと、汚泥脱水設備Ｆと、後処理設備Ｇとを備えている。
【００１７】
ここで、破砕設備Ａは、鉱物性混合物に破砕処理を施し、予め設定された寸法より大きい寸法を有する鉱物性塊粒を破砕する。湿式分級設備Ｂは、破砕処理が施された鉱物性混合物を、水を用いて、粒径が互いに異なる複数種の材料に分級する一方、上記重金属等を鉱物性混合物から水中へ離脱ないしは溶解させる。重金属除去設備Ｃは、湿式分級設備Ｂから排出された排水から上記重金属等を除去する。排水処理設備Ｄは、上記重金属等が除去された排水を処理するとともに、排水中の非水溶性物を沈殿させて排水を汚泥と処理水とに分離する。処理水供給設備Ｅは、処理水を湿式分級設備Ｂへ供給する（循環使用する）。汚泥脱水設備Ｆは、汚泥を脱水し、必要であれば乾燥させる。
【００１８】
後処理設備Ｇは、湿式分級設備Ｂで分級された材料に、製品として適切なものとなるように洗浄処理、再破砕処理等の後処理を施す。後処理設備Ｇで必要とされる水、例えば洗浄処理用の水には、処理水供給設備Ｅから供給される処理水が用いられる。また、後処理設備Ｇから排出された排水は重金属除去設備Ｃに移送される。
【００１９】
材料再生システムＲＳでは、各設備から排出された排水は、すべて重金属除去設備Ｃで上記重金属等が除去された後、排水処理設備Ｄで処理され、汚泥と処理水とに分離される。他方、各設備で必要とされる水は、少量の補給水を除けば、ほぼすべて処理水で賄われる。つまり、材料再生システムＲＳでは、水はほぼ完全に循環使用され、外部に排水を排出しない。すなわち、材料再生システムＲＳは、水の使用に関しては、いわゆるクローズドシステムである。このように、材料再生システムＲＳからは排水が排出されないので、材料再生システムＲＳから外部への上記重金属等及びその他の有害物質の拡散は、完全に防止される。
【００２０】
この材料再生システムＲＳでは、鉱物性塊粒の表面又は表面近傍に付着又は結合している上記重金属等が湿式分級設備Ｂ中で水中に離脱ないしは溶解するので、湿式分級設備Ｂから排出される各種材料は実質的に上記重金属等を含まない。したがって、上記重金属等を含んでいる鉱物性混合物から、上記重金属等を含まない再生砂、再生砂利等の土木建築材料、あるいは金属鉱石等の鉱業材料を再生又は回収することができる。
【００２１】
そして、湿式分級設備Ｂから排出される排水中の上記重金属等は重金属除去設備Ｃで除去又は大幅に低減される。また、排水中のその他の水質汚濁物質の大部分は、排水処理設備Ｄで、例えば凝集沈殿処理により処理されて汚泥とともに排水から除去され、活性炭吸着により排水から除去又は低減され、あるいは生物処理により排水から除去又は低減される。なお、汚泥は、汚泥脱水設備Ｆにより脱水され、あるいは乾燥させられた後、適切に処理又は処分される。
【００２２】
重金属等及び水質汚濁物質が除去ないしは低減された排水は、再使用が可能な処理水となる。このように、鉱物性混合物によって材料再生システムＲＳに連続的に持ち込まれる上記重金属等及びその他の水質汚濁物質は、重金属除去設備Ｃ及び排水処理設備Ｄによって、材料再生システムＲＳから連続的に排出されてゆくので、処理水を循環使用しても、処理水中に上記重金属等及び水質汚濁物質が蓄積ないしは濃縮されることはなく、処理水の水質は、各設備で使用するのに適した状態に維持される。
【００２３】
以下、図２及び図３を参照しつつ、本発明に係る材料再生システムＲＳの具体的な構成及び機能を説明する。
図２及び図３に示すように、材料再生システムＲＳにおいては、破砕設備Ａは、前処理スクリーン１と、ジョークラッシャ２と、第１磁選機３とロッドミルブレーカ４とで構成されている。なお、鉱物性混合物は、受入保管ヤードで受入検査を受けた後、受入ピットに受け入れられ、貯留されている。この鉱物性混合物は、図示していないベルトコンベア又はタイヤショベルにより、連続的に又は間欠的に前処理スクリーン１に搬入される。
【００２４】
前処理スクリーン１は、乾式の篩分装置であって、粒径が区々の種々の鉱物性塊粒を含んでいる鉱物性混合物を、例えば、粒径ｄが９０ｍｍ以上（又は６０ｍｍ以上）の鉱物性塊粒を含む鉱物性混合物と、粒径ｄが９０ｍｍ未満（又は６０ｍｍ未満）の鉱物性塊粒を含む鉱物性混合物とに篩分する。そして、粒径ｄが９０ｍｍ以上の鉱物性塊粒は、ベルトコンベア等によりジョークラッシャ２に移送される。他方、粒径ｄが９０ｍｍ未満の鉱物性塊粒は、ベルトコンベア等により、第１磁選機３を経由してロッドミルブレーカ４に移送される。
【００２５】
ジョークラッシャ２は、詳しくは図示していないが、互いに対向して配置された固定板と可動板とを有し、回転体を回転させることにより可動板を固定板に対して往復移動させて被破砕物を破砕する破砕機であり、例えば固定板と可動板の最接近距離等を変えることにより、容易に破砕後の被破砕物の寸法ないしは粒度を調節することができるものである。そして、ジョークラッシャ２は、例えば、粒径が９０ｍｍ以上（又は６０ｍｍ以上）の鉱物性塊粒を破砕（粗破砕）して、例えば粒径が４０ｍｍ未満の鉱物性塊粒を生成する。この鉱物性塊粒は、ベルトコンベア等により、第１磁選機３を経由してロッドミルブレーカ４に移送される。
【００２６】
第１磁選機３は、鉱物性混合物の上方に配置された強力な磁石により、鉱物性混合物中の常磁性ないしは強磁性の金属、例えば鉄片又は鉄系合金片等を吸い付けて除去する。なお、除去された金属は、資源として再利用することができるので、所定の業者に売却される。なお、この第１磁選機３では、手選別により異物を除去することができ、この異物は、可燃物であれば燃料として再利用される（サーマルリサイクル）。
【００２７】
ロッドミルブレーカ４は、詳しくは図示していないが、ドラムの中に破砕具として複数のスチールロッド（例えば、１０本の７５ｍｍφ×２ｍのスチールロッド）を配置したものであり、ドラムの回転によってスチールロッドが互いに平行に転動して線接触し、その衝撃によりロッド間に存在する鉱物性塊粒を細かく破砕する。なお、鉱物性混合物は、ロッドミルブレーカ４に入る前に、処理水供給設備Ｅ（図１参照）から供給される処理水と混合される。ロッドミルブレーカ４内で鉱物性塊粒が破砕されるときに、鉱物性塊粒に付着又は結合している上記重金属等の一部は剥離、溶解等により水中に離脱する。
【００２８】
湿式分級設備Ｂは、処理水供給設備Ｅから処理水が供給される湿式のジェットトロンメル５と、湿式の第１サイクロン６と、湿式の第２サイクロン７とで構成されている。ジェットトロンメル５、第１サイクロン６及び第２サイクロン７においては、いずれも、鉱物性塊粒が大量の水と接触するとともに個々の鉱物性塊粒同士が互いに擦れ合うので、鉱物性塊粒に付着又は結合している上記重金属等は、剥離、溶解等によりほぼ完全に水中に離脱する。
【００２９】
ジェットトロンメル５は、詳しくは図示していないが、水を貯留することができる受槽と、水平面に対して傾斜して配置された略円筒形のドラムスクリーンとを有する篩分装置であって、ドラムスクリーンは、モータによりその中心軸（円筒の中心軸）まわりに回転することができるようになっている。また、ドラムスクリーン内に、水をスプレー状で供給することができるようになっている。なお、水をスプレー状でドラムスクリーン内に供給するのではなく、ドラムスクリーンの一部（下部）を、受槽に貯留された水ないしは混濁物に浸漬するようにしてもよい。
【００３０】
そして、ドラムスクリーン内に水を供給しつつドラムスクリーンを回転させ、ロッドミルブレーカ４から、ドラムスクリーンの上側の開口端部（位置が高い方）を経由してドラムスクリーン内に鉱物性混合物を投入すると、鉱物性混合物は、基本的には重力により下側の開口端部（位置が低い方）に向かって移動する。その際、ドラムスクリーンの網目より細かい鉱物性塊粒、例えば粒径が５ｍｍ未満の鉱物性塊粒（以下「小径塊粒」という。）は、水とともにドラムスクリーンの網目を通り抜け、ドラムスクリーン外に出て受槽内に入る。なお、受槽内では、小径塊粒と水は、互いに混ざり合って水系混合物を形成している。
【００３１】
他方、ドラムスクリーンの網目より粗い鉱物性塊粒、例えば粒径が５ｍｍ以上の鉱物性塊粒（以下「大径塊粒」という。）は、ドラムスクリーンの網目を通り抜けることができないので、下側の開口端部を経由して、ドラムスクリーン外に排出され、第２磁選機１３に移送される。このジェットトロンメル５では、鉱物性塊粒が大量の水と接触するとともに鉱物性塊粒同士が互いに擦れ合うので、鉱物性塊粒に付着又は結合している重金属等は、剥離、溶解等により水中に離脱する。
【００３２】
ジェットトロンメル５の受槽内の小径塊粒と水とからなる水系混合物は、第１サイクロン６に移送される。この第１サイクロン６は、詳しくは図示していないが、下方に向かって狭まる略円錐状のシリンダ内に水系混合物を圧送して旋回流を生じさせ、これによって生じる遠心力を利用して、水系混合物を、小径塊粒のうちで比較的粒径が大きいもの、例えば粒径が０．５ｍｍ以上のもの（以下「再生砂」という。）と、比較的粒径が小さいもの、例えば粒径が０．５ｍｍ未満のもの（以下「微細回収物」という。）を含有する水系混濁物とに分離する。この第１サイクロン６では、鉱物性塊粒が大量の水と接触するとともに鉱物性塊粒同士が互いに擦れ合うので、鉱物性塊粒に付着又は結合している上記重金属等は、剥離、溶解等により水中に離脱する。
【００３３】
そして、第１サイクロン６によって分離された再生砂は、後処理設備の一部であるサンドスクラバ８に移送される。以下、再生砂のための後処理設備の具体的な構成及び機能を説明する。再生砂のための後処理設備は、サンドスクラバ８と、ジェットラダーシュート９と、サンドスクリーン１０と、第１脱水スクリーン１１とで構成されている。
【００３４】
サンドスクラバ８には、処理水供給装置２４から処理水（循環水）が供給される。そして、サンドスクラバ８は、詳しくは図示していないが、パドルミキサにより、水中で再生砂同士を揉み合わせながら送り出し、再生砂間の摩擦により再生砂の表面に付着している異物を剥離して除去する。なお、万一、再生砂に上記重金属等が残留している場合、この重金属等は再生砂から水中に離脱する。
【００３５】
サンドスクラバ８によって異物が除去された再生砂は排水とともに、処理水供給装置２４から処理水が供給されるジェットラダーシュート９に移送される。このジェットラダーシュート９は、所定の圧力及び水量で処理水（循環水）を流動させて再生砂にすすぎ洗浄処理を施す。なお、再生砂の表面に、万一、異物又は上記重金属等が残留している場合、これらはこのすすぎ洗浄処理により再生砂から離脱する。
【００３６】
ジェットラダーシュート９によりすすぎ洗浄処理が施された再生砂は、排水とともに、処理水供給装置２４から処理水が供給されるサンドスクリーン１０に移送される。このサンドスクリーン１０は、所定の圧力及び水量で処理水（循環水）を流動させて再生砂にすすぎ洗浄処理を施すとともに、万一異物が残留していれば、これを捕集する。サンドスクリーン１０で捕集された異物は、可燃物であれば燃料として再利用される（サーマルリサイクル）。また、サンドスクリーン１０では、再生砂は水中で脱水され、良質な洗い砂となって、第１脱水スクリーン１１に移送される。なお、サンドスクリーン１０の排水は重金属処理装置１５に移送される。
【００３７】
第１脱水スクリーン１１では、再生砂に最終のすすぎ洗浄処理が施されるとともに、キレート処理が施される。第１脱水スクリーン１１の排水は第１サイクロン６に戻される。なお、この排水を重金属処理装置１５に排出してもよい。これにより、再生砂は良質な砂製品となり、保管ヤードに自然落下する。この砂製品は、例えばスライドベルトコンベア等により所定の貯留所に移送され、貯留される。保管ヤードないしは貯留所では、砂製品の品質検査を行い、砂製品中の重金属等の有無等を判定する。例えば、砂製品１００ｍ３毎に検体を採取して品質検査を行い、また１か月に１回、公的機関の検査を受ける。そして、品質検査に合格した砂製品、すなわち重金属等を含んでいない砂製品のみを土木建築材料として使用し又は販売する。なお、品質検査が不合格の砂製品、すなわち上記重金属等を含んでいる砂製品はサンドスクラバ８に戻し、再度洗浄して上記重金属等を除去する。
【００３８】
なお、鉱物性混合物ないしは鉱物性塊粒が金属鉱石、例えば鉄鉱石（赤鉄鉱、黄鉄鉱等）、銅鉱石（赤銅鉱、黄銅鉱等）、鉛鉱石（方鉛鉱等）、亜鉛鉱石（閃亜鉛鉱等）、マンガン鉱石、ニッケル鉱石などを含む場合は、第１脱水スクリーン１１から排出された再生砂から、これらの金属鉱石が分離される。
【００３９】
具体的には、図４に示すように、鉱物性混合物ないしは鉱物性塊粒が金属鉱石を含む場合は、第１脱水スクリーン１１から排出された再生砂は、第１比重差分離装置３１に移送され、ここで、金属鉱石からなる粒子（以下「鉱石」という。）と、それ以外の粒子、すなわち岩石やコンクリートから再生され金属鉱石を含まないた砂製品とに分離される。第１比重差分離装置３１としては、例えば、上下に伸びる筒内を上向きに流れる水流により鉱石と砂製品を比重差で分離する湿式の比重差分離装置を用いることができる。鉱石の比重は４を超える一方、砂製品の比重は２．２〜２．６の範囲内であるので、鉱石と砂製品の比重差による分離は非常に容易である。なお、鉱石は、所定の業者に鉱業材料として売却される。
【００４０】
前記のように第１サイクロン６から排出された、微細回収物を含有する水系混濁物は、第２サイクロン７に移送される。この第２サイクロン７は、詳しくは図示していないが、下方に向かって狭まる略円錐状のシリンダ内に水系混濁物を圧送して旋回流を生じさせ、これによって生じる遠心力を利用して、混合物を、微細回収物のうちで比較的粒径が大きいもの、例えば粒径ｄが０．０７５ｍｍ以上のもの（以下「再生微砂」という。）と、比較的粒径が小さいもの、例えば粒径ｄが０．０７５ｍｍ未満のもの（以下「微細物」という。）を含有する混濁水（排水）とに分離する。
【００４１】
そして、第２サイクロン７によって分離された再生微砂は、再生微砂のための後処理設備である第２脱水スクリーン１２に移送される。他方、微細物を含有する混濁水（排水）は重金属処理装置１５に移送される。
【００４２】
第２脱水スクリーン１２では、再生微砂に最終のすすぎ洗浄処理が施されるとともに、キレート処理が施される。第２脱水スクリーン１２の排水は第１サイクロン６に戻される。なお、この排水を重金属処理装置１５に排出してもよい。これにより、再生微砂は良質な微砂製品となり、保管ヤードに自然落下する。この微砂製品は、例えばスライドベルトコンベア等により所定の貯留所に移送され、貯留される。保管ヤードないしは貯留所では、前記の砂製品の場合と同様に、微砂製品の品質検査を行い、品質検査に合格した微砂製品のみを土木建築材料として使用し又は販売する。なお、品質検査が不合格の微砂製品は第１サイクロン６又は第２サイクロン７に戻し、再度洗浄して重金属等を除去する。
【００４３】
なお、鉱物性混合物ないしは鉱物性塊粒が金属鉱石を含む場合は、砂製品の場合と同様に、比重差分離装置（図示せず）を用いて、第２脱水スクリーン１２から排出された再生砂から、これらの金属鉱石を分離すればよい。
【００４４】
前記のとおり、ジェットトロンメル５から排出された大径塊粒（粒径ｄが５ｍｍ以上の鉱物性塊粒）は、第２磁選機１３を経由して粗目スクリーン１４に移送される。ここで、第２磁選機１３は、大径塊粒の上方に配置された強力な磁石により、第１磁選機３で除去されなかった、大径塊粒中の常磁性ないしは強磁性の金属、例えば鉄片ないしは鉄系合金片等を吸い付けて除去する。
【００４５】
そして、粗目スクリーン１４は、大径塊粒を、粒径ｄが４０ｍｍ以上のもの（以下「要破砕物」という。）と、粒径ｄが４０ｍｍ未満のもの（以下「礫状製品」という。）とに篩分する。そして、要破砕物はインパクトクラッシャ２５に移送され、該インパクトクラッシャ２５によって破砕された後、粗目スクリーン１４に戻される。したがって、大径塊粒はすべて４０ｍｍ未満となって、粗目スクリーン１４から排出されることになる。
【００４６】
他方、礫状製品、すなわち粒径ｄが５ｍｍ以上４０ｍｍ未満の鉱物性塊粒は、保管ヤードに自然落下する。この礫状製品は、例えばスライドベルトコンベア等により所定の貯留所に移送され、貯留される。保管ヤードないしは貯留所では、前記の砂製品の場合と同様に、礫状製品の品質検査を行い、品質検査に合格した礫状製品のみを土木建築材料として使用し又は販売する。なお、品質検査が不合格の礫状製品はジェットトロンメル５に戻して重金属等を除去する。
【００４７】
なお、鉱物性混合物ないしは鉱物性塊粒が金属鉱石を含む場合は、図４に示すように、第２比重差分離装置３２を用いて、粗目スクリーン１４から排出された礫状製品から、これらの金属鉱石を分離すればよい。なお、第２比重差分離装置３２の構成は、基本的には第１比重差分離装置３１の構成と同様である。
【００４８】
以下、重金属除去設備Ｃ、排水処理設備Ｄ、処理水供給設備Ｅ及び汚泥脱水設備Ｆの具体的な構成及び機能を説明する。
重金属除去設備Ｃは、排水中の上記重金属等を除去する重金属処理装置１５を備えている。そして、この重金属処理装置１５に、第２サイクロン７及びサンドスクリーン１０から排出された排水が導入される。排水中の上記重金属等は、重金属処理装置１５によって除去され、又は大幅に低減される。なお、上記重金属等としては、例えば、クロム、マンガン、銅、鉛、カドミウム、水銀、亜鉛、ニッケル、錫、コバルト、又はこれらの重金属の化合物、あるいはこれらの重金属又は化合物のイオンなどが挙げられる。
【００４９】
重金属処理装置１５としては、例えばフェライト法による重金属処理装置を用いることができる。フェライト法自体は当業者にはよく知られているのでその詳しい説明は省略するが、フェライト法による重金属処理装置は、例えば、排水に２価の鉄イオンを添加してこれを排水中の上記重金属等と反応させた後、排水中で酸化させ、スピネル格子構造をもつ非水溶性かつ強磁性のフェライトを生成し、このフェライトを磁気分離機で排水から分離することにより、排水中の上記重金属等を除去するものである。なお、フェライトは比重が大きいので（例えば、４．８〜４．９）、沈殿させて排水から分離してもよい。
【００５０】
また、重金属処理装置１５として、鉄粉法による重金属処理装置を用いてもよい。鉄粉法による重金属処理装置は、例えば、比表面積が大きい鉄粉（例えば、２５００００ｃｍ２／ｇ以上のもの）、例えば硫酸鉄（ＩＩ）で表面処理を施した鉄粉を排水に添加し、排水中の上記重金属等を鉄粉に吸着させて排水中の上記重金属等を除去した後、鉄粉を磁気分離機で排水から分離するものである。なお、鉄粉は比重が大きいので（例えば、７．８〜７．９）、沈殿させて排水から分離してもよい。また、内部に鉄粉が充填された充填塔の形態の重金属処理装置を用いてもよい。この場合、排水が充填塔内を流通する際に、上記重金属等が鉄粉に吸着され、排水中の上記重金属等が除去される。
【００５１】
さらに、重金属処理装置１５として、キレート法による重金属処理装置を用いてもよい。キレート法による重金属処理装置としては、例えば、内部にキレート樹脂が充填された充填塔を用いることができる。この場合、充填塔内を排水が流通する際に、上記重金属等がキレート樹脂によって捕捉ないしは吸着され、排水中の上記重金属等が除去される。キレート樹脂は、上記重金属等で飽和したときには交換又は再生される。なお、キレート樹脂に代えて、上記重金属等を捕捉するイオン交換樹脂を用いてもよい。
【００５２】
また、キレート法による重金属処理装置として、水溶性の液状のキレート剤を排水に添加し、排水中の上記重金属等をキレート剤に捕捉ないしは吸着させる重金属処理槽を用いてもよい。この場合、上記重金属等を捕捉ないしは吸着したキレート剤は、沈殿させて排水から分離することができる。なお、キレート剤に代えて、キレート剤を固定した非水溶性の無機多孔質の粉体又は粒子を排水に添加し、排水中の上記重金属等を無機多孔質の粉体又は粒子に捕捉ないしは吸着させるようにしてもよい。この場合も、上記重金属等を捕捉ないしは吸着した粉体又は粒子は、沈殿させて排水から分離することができる。なお、無機多孔質の粉体又は粒子に常磁性物質を含有させ、上記重金属を捕捉ないしは吸着した粉体又は粒子を磁気分離機で排水から分離するようにしてもよい。
【００５３】
排水処理設備Ｄは、ＰＨ調整槽１６と、反応槽１７と、原水層１８と、シックナ１９とを備えている。処理水供給設備Ｅは、処理水槽２３と、処理水供給設備２４とを備えている。汚泥脱水設備Ｆは、フィルタプレス２０と、汚泥改良機２１と、汚泥乾燥機２２とを備えている。
【００５４】
なお、重金属処理装置１５を、排水の流れ方向に関して、ＰＨ調整槽１６の上流ではなく、ＰＨ調整槽１６の下流側に設けてもよい。例えば、重金属処理装置１５をＰＨ調整槽１６と反応槽１７の間に設けてもよい。
【００５５】
ＰＨ調整槽１６では、排水に酸性液（例えば、塩酸、硫酸等）又はアルカリ性液（例えば、水酸化ナトリウム水溶液、水酸化カルシウム水溶液等）が添加され、排水のＰＨ（水素イオン濃度）が、所定の範囲内（例えば、８〜９ＰＨ、又は９〜１０ＰＨ）となるように調整される。なお、詳しくは図示していないが、ＰＨ調整槽１６では、排水のＰＨは、ＰＨメータ等を備えたＰＨ自動制御装置により自動的に調整される。ＰＨが調整された排水は反応槽１７に移送される。
【００５６】
反応槽１７では、排水に所定の無機系の凝集剤（例えば、塩化第２鉄水溶液、硫酸アルミニウム水溶液、ポリ塩化アルミニウム水溶液等）と高分子凝集剤とが添加される。これにより非水溶性の金属水酸化物のフロックが生成され、排水中の水質汚濁物質ないしは浮遊物は金属水酸化物のフロックに吸着され又はフロックに付着もしくは結合し、あるいは上記重金属イオンが残留している場合は、この重金属イオンが非水溶性の金属水酸化物となってフロックを形成する。そして、このようなフロックを含む排水は原水槽１８に送られ、この原水槽１８内でフロックが成長するとともに、排水中の水質汚濁物質ないしは浮遊物のフロックへの吸着、付着又は結合が促進される。
【００５７】
原水槽１８内のフロックを含む排水は、シックナ１９に移送される。シックナ１９は、詳しくは図示していないが、排水がほぼ静止している状態で非水溶性のフロックを重力により沈降させ、下部に位置する汚泥層（例えば、固形分の比率が２〜３％）と、上部に位置しほとんどフロックを含まない上澄水（処理水）層とを形成する。シックナ１９の下部に堆積している汚泥は、適宜に又は連続的に、重力により、又はスラリーポンプ（図示せず）を用いてシックナ１９から取り出され、フィルタプレス２０に移送される。
【００５８】
フィルタプレス２０は、詳しくは図示していないが、バッチ式又は連続式の加圧式濾過器であって、シックナ１９から受け入れた汚泥を濾過し、汚泥ケーキと濾過水とを生成する。フィルタプレス２０の濾過圧力は、例えば汚泥ケーキの含水率が３０〜４０％となるように好ましく設定される。ここで、フィルタプレス２０の濾過水（排水）はシックナ１９に戻される。なお、フィルタプレス以外の濾過器、例えば真空濾過器（オリバー式濾過器）等を用いてもよい。フィルタプレス２０から排出された汚泥のケーキは、汚泥改良機２１に移送される。この汚泥改良機２１では、汚泥の性状を改良するために、汚泥ケーキに助剤が添加され、攪拌・混練される。この後、汚泥ケーキは汚泥乾燥機２２に移送され、乾燥させられて乾燥汚泥となる。この乾燥汚泥は、適切に処理ないしは処分される。なお、汚泥を乾燥させる必要がなければ、汚泥乾燥機２２は設けなくてもよい。
【００５９】
シックナ１９から排出された処理水は処理水槽２３に移送され、貯留される。処理水層２３に貯留されている処理水は、ポンプ等を備えた処理水供給装置２４により、水を必要とする前記各設備に供給される。なお、処理水槽２３に貯留されている処理水が、漏水、蒸発等により減少したときには、適宜に処理水槽２３に水道水が補給される。
【００６０】
以上、本発明の実施形態に係る材料再生システムＲＳによれば、土木建築工事により発生し、又は鉱業活動により発生した鉱物性混合物が上記重金属等を含む場合でも、該鉱物性混合物から上記重金属等が除去された土木建築用材料又は鉱業材料を再生することができ、かつ上記重金属等が外部に拡散するのを確実に防止することができる。
【産業上の利用可能性】
【００６１】
本発明に係る材料再生システムは、コンクリート構築物の解体、地盤の掘削、土壌の改変、土地の造成、道路の建設又は補修などといった土木建築工事を行ったとき、あるいは鉱業活動を行ったときに発生する鉱物性混合物を土木建築用材料又は鉱業材料として再生することができるので、土木建築事業又は鉱業の分野で利用することができ、土木建築事業又は鉱業における材料コストを低減することができる。
【符号の説明】
【００６２】
ＲＳ  材料再生システム、Ａ  破砕設備、Ｂ  湿式分級設備、Ｃ  重金属除去設備、Ｄ  排水処理設備、Ｅ  処理水供給設備、Ｆ  汚泥脱水設備、Ｇ後処理設備、１  前処理スクリーン、２  ジョークラッシャ、３  第１磁選機、４  ロッドミルブレーカ、５  ジェットトロンメル、６  第１サイクロン、７  第２サイクロン、８  サンドスクラバ、９  ジェットラダーシュート、１０  サンドスクリーン、１１  第１脱水スクリーン、１２  第２脱水スクリーン、１３  第２磁選機、１４  粗目スクリーン、１５  重金属処理装置、１６  ＰＨ調整槽、１７  反応槽、１８  原水槽、１９  シックナ、２０  フィルタプレス、２１  汚泥改良機、２２  汚泥乾燥機、２３  処理水槽、２４  処理水供給装置、２５  インパクトクラッシャ、３１  第１比重差分離装置、３２  第２比重差分離装置。
【要約】
【課題】土木建築工事等により発生し、その表面に重金属等が付着又は結合している鉱物性混合物から該重金属等が除去された材料を生成することができるシステムを提供する。
【解決手段】材料再生システムＲＳにおいては、破砕設備Ａは、鉱物性混合物に破砕処理を施す。湿式分級設備Ｂは、破砕処理が施された鉱物性混合物を、水を用いて、粒径が互いに異なる複数種の材料に分級する一方、重金属等を鉱物性混合物から水中に離脱させる。重金属除去設備Ｃは、湿式分級設備Ｂから排出された排水から重金属等を除去する。排水処理設備Ｄは、重金属等が除去された排水を処理するとともに、排水中の非水溶性物を沈殿させて排水を汚泥と処理水とに分離する。処理水供給設備Ｅは、処理水を湿式分級設備Ｂに供給する。汚泥脱水設備Ｆは、汚泥を脱水し、乾燥させる。後処理設備Ｇは、再生された材料に洗浄処理等の後処理を施す。
【選択図】図１【図１】
0004823387.tif 000002
【図２】
0004823387.tif 000003
【図３】
0004823387.tif 000004
【図４】
0004823387.tif 000005